【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）を用いた通信のために第１のアンテナと第２のアンテナとを使用するユーザ機器（ＵＥ）によって、第１の時間において第２のＲＡＴに関連する手順のために前記第２のアンテナが使用されるべきであると決定することを備え、
前記決定に基づいて前記第１の時間において前記第１のＲＡＴを用いた前記通信のためにＵＥランクインデックス（ＲＩ）を初期値から低減された値に低減することと、
前記第１の時間の前に前記ＵＥ  ＲＩを前記低減された値に低減するようにとの要求をネットワークエンティティに送信することと、
前記ＵＥが前記送信に応答して肯定応答を受信したとき、前記第２のＲＡＴに関連する前記手順を実施するために前記第２のアンテナを前記第１のＲＡＴから前記第２のＲＡＴに離調させることと、
前記ＵＥが前記送信に応答して前記肯定応答を受信したとき、前記ＵＥ  ＲＩの前記低減された値に従って前記第１のアンテナを介して前記第１のＲＡＴを用いた通信を実施することと
によって特徴付けられる、ワイヤレス通信の方法。
【請求項２】
前記第２のアンテナが、前記第２のＲＡＴに関連する前記手順のために使用される間、前記第２のアンテナが前記第１のＲＡＴを用いた通信のために利用不可能である、請求項１に記載の方法。
【請求項３】
前記ＵＥが前記ネットワークエンティティから前記肯定応答を受信しないとき、前記第２のアンテナを前記第１のＲＡＴから前記第２のＲＡＴに前記離調させるのを控えることと、前記ＵＥ  ＲＩを前記初期値に戻すこととをさらに備える、請求項１に記載の方法。
【請求項４】
前記第２のＲＡＴに関連する前記手順が実施された後に、前記ＵＥ  ＲＩの前記初期値に復帰するようにとの要求を前記ネットワークエンティティに送信することと、
前記ＵＥが、前記ＵＥ  ＲＩの前記初期値に復帰するようにとの前記要求の前記送信に応答して前記ネットワークエンティティから肯定応答を受信したとき、前記ＵＥ  ＲＩの前記初期値に従って前記第１のアンテナと前記第２のアンテナとを介して前記第１のＲＡＴを用いた通信を実施することと
をさらに備える、請求項１に記載の方法。
【請求項５】
前記ＵＥが前記肯定応答を受信しないとき、前記第１の時間の後に前記ＵＥ  ＲＩを前記ＵＥ  ＲＩの前記低減された値に低減するようにとの前記要求の後続のインスタンスを前記ネットワークエンティティに送信することと、
前記ＵＥが前記ネットワークエンティティから前記要求の前記後続のインスタンスの肯定応答を受信しないとき、前記第２のＲＡＴに関連する前記手順を実施するために前記第２のアンテナを前記第１のＲＡＴから前記第２のＲＡＴに離調させることと、
前記ＵＥ  ＲＩの前記低減された値に従って前記第１のアンテナを介して前記第１のＲＡＴを用いた通信を実施することと
をさらに備える、請求項３に記載の方法。
【請求項６】
前記要求の前記後続のインスタンスは、前記要求の前記後続のインスタンスの前の前記要求が前記ネットワークに送信されるサブフレームよりも早いサブフレームにおいて前記ネットワークエンティティに送信される、請求項５に記載の方法。
【請求項７】
前記送信することは、
前記第２のＲＡＴに関連する前記手順が、前記第１のＲＡＴに関連するスリープ時間の開始の前に開始し、前記第１のＲＡＴに関連する前記スリープ時間と少なくとも部分的に重複するとき、前記第１の時間の前に前記ネットワークエンティティに前記要求を送信すること、または
前記第２のＲＡＴに関連する前記手順が、前記第１のＲＡＴに関連するスリープ時間の開始の後に開始し、前記第１のＲＡＴに関連する前記スリープ時間と少なくとも部分的に重複するとき、前記第１のＲＡＴに関連する前記スリープ時間の前記開始の前に前記ネットワークエンティティに前記要求を送信すること
を備える、請求項１に記載の方法。
【請求項８】
前記初期値に復帰するようにとの前記要求を前記ネットワークエンティティに前記送信することは、
前記第１のＲＡＴに関連するスリープ時間が終了する時間と、前記第２のＲＡＴに関連する前記手順の実施が終了する時間とのうちの遅いほうの時間において、前記ＵＥ  ＲＩの前記初期値に復帰するようにとの前記要求を前記ネットワークエンティティに送信することを備える、請求項４に記載の方法。
【請求項９】
前記ＵＥ  ＲＩの前記低減された値に基づいてチャネル品質インジケータ（ＣＱＩ）またはプリコーディング行列インジケータ（ＰＭＩ）のうちの少なくとも１つを更新することをさらに備える、請求項１に記載の方法。
【請求項１０】
第１の無線アクセス技術（ＲＡＴ）を用いた通信のために第１のアンテナと第２のアンテナとを使用するユーザ機器（ＵＥ）である、ワイヤレス通信のための装置であって、
第１の時間において第２のＲＡＴに関連する手順のために前記第２のアンテナが使用されるべきであると決定するための手段を備え、
前記決定に基づいて前記第１の時間において前記第１のＲＡＴを用いた前記通信のためにＵＥランクインデックス（ＲＩ）を初期値から低減された値に低減するための手段と、
前記第１の時間の前に前記ＵＥ  ＲＩを前記低減された値に低減するようにとの要求をネットワークエンティティに送信するための手段と、
前記ＵＥが前記送信に応答して肯定応答を受信したとき、前記第２のＲＡＴに関連する前記手順を実施するために前記第２のアンテナを前記第１のＲＡＴから前記第２のＲＡＴに離調させるための手段と、
前記ＵＥが前記送信に応答して前記肯定応答を受信したとき、前記ＵＥ  ＲＩの前記低減された値に従って前記第１のアンテナを介して前記第１のＲＡＴを用いた通信を実施するための手段と
によって特徴付けられる、装置。
【請求項１１】
前記ＵＥが前記ネットワークエンティティから前記肯定応答を受信しないとき、前記第２のアンテナを前記第１のＲＡＴから前記第２のＲＡＴに前記離調させるのを控えるための手段と、前記ＵＥ  ＲＩを前記初期値に戻すための手段とをさらに備える、請求項１０に記載の装置。
【請求項１２】
前記第２のＲＡＴに関連する前記手順が実施された後に、前記ＵＥ  ＲＩの前記初期値に復帰するようにとの要求を前記ネットワークエンティティに送信するための手段と、
前記ＵＥが、前記ＵＥ  ＲＩの前記初期値に復帰するようにとの前記要求の前記送信に応答して前記ネットワークエンティティから肯定応答を受信したとき、前記ＵＥ  ＲＩの前記初期値に従って前記第１のアンテナと前記第２のアンテナとを介して前記第１のＲＡＴを用いた通信を実施するための手段と
をさらに備える、請求項１０に記載の装置。
【請求項１３】
前記ＵＥが前記肯定応答を受信しないとき、前記第１の時間の後に前記ＵＥ  ＲＩを前記ＵＥ  ＲＩの前記低減された値に低減するようにとの前記要求の後続のインスタンスを前記ネットワークエンティティに送信するための手段と、
前記ＵＥが前記ネットワークエンティティから前記要求の前記後続のインスタンスの肯定応答を受信しないとき、前記第２のＲＡＴに関連する前記手順を実施するために前記第２のアンテナを前記第１のＲＡＴから前記第２のＲＡＴに離調させるための手段と、
前記ＵＥ  ＲＩの前記低減された値に従って前記第１のアンテナを介して前記第１のＲＡＴを用いた通信を実施するための手段と
をさらに備える、請求項１１に記載の装置。
【請求項１４】
送信するための前記手段は、
前記第２のＲＡＴに関連する前記手順が、前記第１のＲＡＴに関連するスリープ時間の開始の前に開始し、前記第１のＲＡＴに関連する前記スリープ時間と少なくとも部分的に重複するとき、前記第１の時間の前に前記ネットワークエンティティに前記要求を送信すること、または
前記第２のＲＡＴに関連する前記手順が、前記第１のＲＡＴに関連する前記スリープ時間の前記開始の後に開始し、前記第１のＲＡＴに関連する前記スリープ時間と少なくとも部分的に重複するとき、前記第１のＲＡＴに関連する前記スリープ時間の前記開始の前に前記ネットワークエンティティに前記要求を送信すること
を行うように構成された、請求項１０に記載の装置。
【請求項１５】
第１の無線アクセス技術（ＲＡＴ）を用いた通信のために第１のアンテナと第２のアンテナとを使用するユーザ機器（ＵＥ）のためのコンピュータプログラム製品であって、
請求項１乃至９のいずれか１項の方法を前記ＵＥに実施させるためのプロセッサ実行可能命令を備えるコンピュータ可読媒体
を備える、コンピュータプログラム製品。